(57)【要約】      （修正有）【課題】保冷剤等の冷却部材を備えることが可能であって、任意の使用態様においても、十分な冷却効果が得られ、安定的に使用可能なフェイスカバーを提供する。【解決手段】フェイスカバー１００は、装着するユーザの顔に対向する内側面に配置される内側部材１３０と、内側面と反対側である外側面に配置される外側部材と、内側部材１３０と外側部材との間に形成され、上部が開口しているポケット部１５０と、外側部材の上端部から内側面に折り返され、又は、内側部材１３０の上端部から外側面に折り返され、ポケット部１５０の開口を覆うカバー部１４０と、内側部材１３０又は外側部材の左右の両端部に設けられる一対の支持紐体１２０と、を備える。ポケット部１５０に冷却部材１０が格納され、カバー部１４０がポケット部１５０の開口を覆うことで、冷却部材１０の保冷効果が維持される。【選択図】図６
0003227734.tif 000002
【実用新案登録請求の範囲】
【請求項１】
装着するユーザの顔に対向する内側面に配置される内側部材と、
前記内側面と反対側である外側面に配置される外側部材と、
前記内側部材と前記外側部材との間に形成され、上部が開口しているポケット部と、
前記外側部材の上端部から前記内側面に折り返され、又は、前記内側部材の上端部から前記外側面に折り返され、前記ポケット部の開口を覆うカバー部と、
前記内側部材又は前記外側部材の左右の両端部に設けられる一対の支持紐体と、
を備える、フェイスカバー。
【請求項２】
前記カバー部は、前記外側部材と一体的に形成される、請求項１に記載のフェイスカバー。
【請求項３】
前記カバー部は、前記内側面に折り返される領域の長手方向に沿って配置される形状保持部材を含む、請求項１又は２に記載のフェイスカバー。
【請求項４】
前記形状保持部材は、前記長手方向に沿って前記カバー部に縫い付けられ、前記カバー部の表面に前記長手方向に沿って縫い目が形成される、請求項３に記載のフェイスカバー。
【請求項５】
前記形状保持部材は、ドレス用ワイヤーテープで構成される、請求項３又は４に記載のフェイスカバー。
【請求項６】
前記ポケット部の内部に、当該ポケット部の開口の少なくとも一部を留める留め部材が配置される、請求項１〜５のいずれか一項に記載のフェイスカバー。
【請求項７】
前記留め部材は、前記ポケット部における開口の中央部に配置される、請求項６に記載のフェイスカバー。
【請求項８】
前記留め部材は、前記カバー部の折り返し領域に対向する位置に配置される、請求項７に記載のフェイスカバー。
【請求項９】
前記外側部材の裏面には、面ファスナーのオス又はメスのいずれか一方が配置されており、
前記留め部材は、前記面ファスナーのオス又はメスの他方で構成される、請求項６〜８のいずれか一項に記載のフェイスカバー。
【請求項１０】
前記ポケット部は、ポリエステル及びポリウレタンを含む素材で構成される、請求項１〜９のいずれか一項に記載のフェイスカバー。
【請求項１１】
前記ポケット部は、冷却部材を格納可能である、請求項１〜１０のいずれか一項に記載のフェイスカバー。
【請求項１２】
前記ポケット部よりも内側面側に他のポケット部を、さらに備える、請求項１〜１１のいずれか一項に記載のフェイスカバー。
【請求項１３】
前記他のポケット部は、フィルターを格納可能である、請求項１２に記載のフェイスカバー。
【請求項１４】
前記ポケット部の中心から左右それぞれのサイド領域に冷却部材が格納され、
前記他のポケット部の中央領域を少なくとも含む位置に、フィルターが格納される、請求項１２又は１３に記載のフェイスカバー。
【請求項１５】
前記一対の支持紐体は、ナノファイバーで構成された紐を含む、請求項１〜１４のいずれか一項に記載のフェイスカバー。
【考案の詳細な説明】
【技術分野】
【０００１】
本考案は、フェイスカバーに関する。
【背景技術】
【０００２】
一般的に、ウイルス、花粉及び埃等の有害物質が体内に侵入することを防止するために、主に、鼻及び口を保護するマスク及びフェイスカバー等がある。
【０００３】
また、マスク本体の上部に冷却ジェルシートを装着して、鼻及び目の下の部分を冷却する気密性が高く鼻炎等の炎症を抑えるマスクが開示されている（例えば、特許文献１参照）。具体的には、特許文献１に開示されているマスクは、有害物質のマスク内への侵入を軽減すると同時に、鼻及び目の下の部分を冷却ジェルによって冷却するため、くしゃみ及び鼻水等によって引き起こされる炎症を和らげる、又は発生を抑えることができる。
【先行技術文献】
【特許文献】
【０００４】
【特許文献１】特開２０１６−２２３０４９号公報
【考案の概要】
【考案が解決しようとする課題】
【０００５】
しかしながら、特許文献１に開示されているマスクは、マスク本体の上部に冷却ジェルシートを装着していることから、主に、鼻の炎症を抑えることを目的としている。
【０００６】
ところで、近年、地球の温暖化が問題となっており、特に、夏では、高温多湿な環境下において、熱中症等を引き起こすケースが増加している。その環境下において、ユーザが顔にマスクを装着する際に、同時に保冷剤を備えることによって顔の表面を冷却することが考えられているが、単に保冷剤を備えただけでは、十分な冷却効果が得られない可能性があるという問題がある。また、最近、マスク又はフェイスカバーを装着して運動等をする人が増えているが、マスク又はフェイスカバーの形状、構造等について、マスク又はフェイスカバーを装着したまま運動等することについてはあまり考慮されていない。
【０００７】
それ故に、本考案は、上記のような課題に鑑みてなされたものであって、本考案の目的の１つは、保冷剤等の冷却部材を備えることが可能であって、任意の使用態様においても、十分な冷却効果が得られ、安定的に使用可能なフェイスカバーを提供することである。
【課題を解決するための手段】
【０００８】
上記目的を達成するために、本考案の一態様に係るフェイスカバーは、装着するユーザの顔に対向する内側面に配置される内側部材と、内側面と反対側である外側面に配置される外側部材と、内側部材と外側部材との間に形成され、上部が開口しているポケット部と、外側部材の上端部から内側面に折り返され、又は、内側部材の上端部から外側面に折り返され、ポケット部の開口を覆うカバー部と、内側部材又は外側部材の左右の両端部に設けられる一対の支持紐体と、を備える。
【０００９】
この態様によれば、ポケット部に保冷剤等の冷却部材が格納可能であって、当該ポケット部の開口をカバー部によって覆うため、当該ポケット部に格納された冷却部材の冷却効果が減衰し難い。また、カバー部は、外側部材の上端部から内側面に折り返され、又は、内側部材の上端部から外側面に折り返され、カバー部による厚みを鼻筋にのせる構造であるため、任意の使用態様においても、ユーザは、当該フェイスカバーを装着した際に、十分な冷却効果が得られ、安定的に使用することができる。
【００１０】
上記態様において、カバー部は、外側部材と一体的に形成されてもよい。
【００１１】
この態様によれば、カバー部と外側部材とを一体的に形成するため、別部材を組み合わせる際に生じる境界部分の隙間等を軽減することができる。その結果、当該フェイスカバーは、有害物質の侵入を防止するという機能を維持しつつ、外観的にもシンプルなデザインを形成することができる。
【００１２】
上記態様において、カバー部は、内側面に折り返される領域の長手方向に沿って配置される形状保持部材を含んでもよい。
【００１３】
この態様によれば、ユーザの鼻周辺の顔の立体構造に沿ってフェイスカバーを装着することができる。その結果、フェイスカバーを装着した際には、当該フェイスカバーとユーザとの隙間から有害物質が侵入することを防止しつつ、形状保持部材がユーザの鼻周辺の顔の立体構造に適合しているため、当該フェイスカバーがズレ難くなっている。
【００１４】
上記態様において、形状保持部材は、長手方向に沿ってカバー部に縫い付けられ、カバー部の表面に長手方向に沿って縫い目が形成されてもよい。
【００１５】
この態様によれば、形状保持部材が縫い付けられたカバー部の表面には、縫い目による凸部が形成されるため、ユーザが当該フェイスカバーを装着した際、当該凸部と鼻筋との間の摩擦抵抗が増して、当該フェイスカバーがさらにズレ難くなっている。
【００１６】
上記態様において、形状保持部材は、ドレス用ワイヤーテープで構成されてもよい。
【００１７】
この態様によれば、形状保持部材がユーザの顔（肌）に接触しても、負担及び違和感が小さく、ユーザにとって心地よく当該フェイスカバーを装着することができる。
【００１８】
上記態様において、ポケット部の内部に、当該ポケット部の開口の少なくとも一部を留める留め部材が配置されてもよい。
【００１９】
この態様によれば、ポケット部の内部に留め部材が配置されているため、外観及び着け心地を損ねることなく、ポケット部の開口を留めることができる。また、ポケット部に冷却部材が格納される場合、ポケット部の開口が大きく開いたり、冷却部材が出てきたりすることを防止し、ポケット部に安定して冷却部材を配置することができる。
【００２０】
上記態様において、留め部材は、ポケット部における開口の中央部に配置されてもよい。
【００２１】
この態様によれば、ポケット部における開口を、中央部で留めるため、ポケット部の内部に冷却部材が格納される場合、両サイド領域にバランス良く、安定して配置することができる。
【００２２】
上記態様において、留め部材は、カバー部の折り返し領域に対向する位置に配置されてもよい。
【００２３】
この態様によれば、外側部材の上端部近傍に対向する位置に留め部材が配置されることになるため、フェイスカバーを装着するユーザに、留め部材による違和感及び不快感を与えない。
【００２４】
上記態様において、外側部材の裏面には、面ファスナーのオス又はメスのいずれか一方が配置されており、留め部材は、面ファスナーのオス又はメスの他方で構成されてもよい。
【００２５】
この態様によれば、ポケット部の開口において、容易に、留め部材を留める及び外すことができる。
【００２６】
上記態様において、ポケット部は、ポリエステル及びポリウレタンを含む素材で構成されてもよい。
【００２７】
この態様によれば、ポケット部は、吸水性及び速乾性に優れているため、ポケット部に冷却部材が格納されて、当該ポケット部が濡れる場合があったとしても、フェイスカバーを装着するユーザに不快感を与えない。
【００２８】
上記態様において、ポケット部は、冷却部材を格納可能であってもよい。
【００２９】
この態様によれば、当該フェイスカバーを装着するユーザは、冷却部材から冷感を得ることができる。
【００３０】
上記態様において、ポケット部よりも内側面側に他のポケット部を、さらに備えてもよい。
【００３１】
この態様によれば、冷却部材以外にもフィルター等を交換可能とすることができる。
【００３２】
上記態様において、他のポケット部は、フィルターを格納可能であってもよい。
【００３３】
この態様によれば、有害物質の侵入を防止するという機能をさらに向上させることができる。
【００３４】
上記態様において、ポケット部の中心から左右それぞれのサイド領域に冷却部材が格納され、他のポケット部の中央領域を少なくとも含む位置に、フィルターが格納されてもよい。
【００３５】
この態様によれば、ユーザが当該フェイスカバーを装着する際に、ユーザの鼻及び口に対向する位置にフィルターが配置されるものの、冷却部材によって鼻及び口が塞がれることがなく、ユーザにとっては呼吸がし易く、かつ冷却部材から冷感を得ることができる。
【００３６】
上記態様において、一対の支持紐体は、ナノファイバーで構成された紐を含んでもよい。
【００３７】
この態様によれば、ユーザが当該フェイスカバーを装着する際に、耳への負担が軽減され、抗菌効果及び消臭効果を得ることもできる。
【考案の効果】
【００３８】
以上のように、本考案によれば、保冷剤等の冷却部材を備えることが可能であって、任意の使用態様においても、十分な冷却効果が得られ、安定的に使用可能なフェイスカバーを提供することができる。
【図面の簡単な説明】
【００３９】
【図１】本考案の第１実施形態に係るフェイスカバー１００を外側面側から見た斜視図である。
【図２】本考案の第１実施形態に係るフェイスカバー１００を内側面側から見た斜視図である。
【図３】本考案の第１実施形態に係るフェイスカバー１００において、カバー部１４０のうち形状保持部材１４１が縫い付けられた部分の一例を示す拡大図である。
【図４】本考案の第１実施形態に係るフェイスカバー１００におけるカバー部１４０が捲られた様子を示す図である。
【図５】本考案の第１実施形態に係るフェイスカバー１００におけるポケット部１５０内部の様子を示す図である。
【図６】本考案の第１実施形態に係るフェイスカバー１００において、ポケット部１５０に冷却部材１０が格納されている様子を示す図である。
【図７】本考案の第２実施形態に係るフェイスカバー２００を内側面側から見た斜視図である。
【図８】本考案の第２実施形態に係るフェイスカバー２００において、他のポケット部２１０にフィルター２０が格納されている様子を示す図である。
【図９】本考案の第２実施形態に係るフェイスカバー２００において、冷却部材１０とフィルター２０とが格納されている位置関係を示す図である。
【考案を実施するための形態】
【００４０】
以下、本考案の各実施形態について、添付図面を参照しながら具体的に説明する。なお、以下で説明する実施形態は、あくまで、本考案を実施するための具体的な一例を挙げるものであって、本考案を限定的に解釈させるものではない。
【００４１】
＜第１実施形態＞
図１は、本考案の第１実施形態に係るフェイスカバー（FACE COVER）１００を外側面側から見た斜視図であり、図２は、本考案の第１実施形態に係るフェイスカバー１００を内側面側から見た斜視図である。図１及び図２に示すように、フェイスカバー１００は、外側部材１１０と、一対の支持紐体１２０と、内側部材１３０と、カバー部１４０とを備える。
【００４２】
フェイスカバー１００は、典型的には、ウイルス、花粉及び埃等の有害物質が体内に侵入することを防止するために、鼻及び口を覆うように装着するマスク等を含むものである。
【００４３】
外側部材１１０は、当該フェイスカバー１００を装着するユーザの顔に対向する内側面と反対側である外側面に配置される。外側部材１１０は、装着するユーザの少なくとも鼻、口及び頬を覆うような形状であり、典型的には、両頬を含めて顔の下半分程度（目の下又は鼻背辺りから口の下又は顎の辺りまで）を覆うような形状である。
【００４４】
外側部材１１０は、例えばスポーツウェア及び水着等に用いられる素材で形成されており、例えば、ポリエステル及びポリウレタン等が用いられる。本実施形態では、外側部材１１０は、ポリエステル９０％及びポリウレタン１０％で構成される素材で形成されており、伸縮性、吸水性及び速乾性に優れており、紫外線カット、消臭及び抗菌効果も有している。さらに、後述する内側部材１３０、カバー部１４０及びポケット部１５０等についても同様の素材を用いて形成されている。
【００４５】
このような素材を用いることで、ユーザが運動中に使用して汗をかいた場合であっても不快になることを軽減し、継続して快適な着け心地を維持することができる。さらには、洗濯して繰り返し使用することができるため、衛生的、経済的及び環境的にも優れている。
【００４６】
一対の支持紐体１２０は、外側部材１１０又は内側部材１３０の左右の両端部に設けられており、ユーザの耳に引っ掛けられることによって、当該ユーザはフェイスカバー１００を安定して装着する。一対の支持紐体１２０は、特殊な繊維（例えば、ナノファイバー構造等）で構成されてもよく、この場合は消臭及び抗菌効果を有している。また、一対の支持紐体１２０に平たい形状のゴム紐を適用すれば、長時間、当該フェイスカバー１００を装着していたとしても、ユーザの耳への負担が軽減される。
【００４７】
内側部材１３０は、当該フェイスカバー１００を装着するユーザの顔に対向する内側面に配置される。内側部材１３０は、概ね外側部材１１０と同様の形状であって、顔の下半分程度を覆うような形状である。内側部材１３０の素材は、外側部材１１０の素材と同様でもよく、また、異なる素材であってもよい。
【００４８】
カバー部１４０は、外側部材１１０の上端部から内側面に折り返されて、外側部材１１０と内側部材１３０との間に形成されるポケット部１５０の開口を覆っている。例えば、カバー部１４０は、後述するポケット部１５０を覆い、かつ鼻筋（眉間から鼻先までのライン）にのせるために所定幅を有するものであり、所定幅は２ｃｍ〜５ｃｍが好適である。なお、外側部材１１０は、上端部から下端部にかけて立体的形状を有しており、この場合、上側境界の中央部から所定の長さだけ下方の位置に鼻先が位置するように設計されるとよい。この場合、カバー部１４０の所定幅は、外側部材１１０の上端部から装着者の鼻先付近の位置までの所定の長さに対応するとよい。これにより、カバー部１４０の厚みと外側部材１１０の厚みとにより厚みや重さが増したフェイスカバー１００の領域が鼻筋にのり、支持紐体１２０により顔面方向に引っ張られることで、鼻筋に対して接触する部分の下方向への摩擦抵抗を増やし、フェイスカバー１００のズレ落ち防止に貢献することができる。
【００４９】
また、例えば、カバー部１４０は、外側部材１１０から延伸されて一体的に形成されており、内側面に折り返されることによって、ポケット部１５０の開口を覆ってもよい。カバー部１４０と外側部材１１０とを一体的に形成することによって、別部材を組み合わせる際に生じる境界（連結）部分の隙間等を軽減することができる。その結果、フェイスカバー１００は、有害物質の侵入を防止するという機能を維持しつつ、さらに、図１に示すように、外観的にもシンプルなデザインを形成している。また、カバー部１４０と外側部材１１０とを一体的に形成することで、製造に関するコストや手間を軽減することが可能になる。
【００５０】
カバー部１４０は、内側面に折り返される領域の長手方向に沿って配置される形状保持部材１４１を含んでいる。例えば、カバー部１４０のうち、当該カバー部１４０を内側面に折り返した状態で、フェイスカバー１００を装着するユーザの鼻背に対向する位置を含む領域に、形状保持部材１４１が配置されてもよい。形状保持部材１４１は、略平行に２又は３本の布製のドレス用ワイヤーテープをカバー部１４０に縫い付けられることによって構成されてもよく、さらに、ポリエステル製のテープで覆うことによって補強されても構わない。また、長手方向に沿って１又は複数の形状保持部材１４１をカバー部１４０に縫い付けることで、縫い目がカバー部１４０の表面（装着者の顔面方向の面）の長手方向に沿って数本形成される。これにより、この縫い目の間に形成される１又は複数の凸部が鼻筋に沿って接触することになり、カバー部１４０が鼻筋を滑りにくくなる。
【００５１】
図３は、本考案の第１実施形態に係るフェイスカバー１００において、カバー部１４０のうち形状保持部材１４１が縫い付けられた部分の一例を示す拡大図である。図３に示す一例では、形状保持部材１４１が縫い付けられたカバー部１４０の表面において、３本の縫い目１４２によって２つの凸部１４３が形成されている。例えば、カバー部１４０は、平面で鼻筋に接触するのではなく、鼻筋に直交するように凸部１４３による複数の接点で鼻筋に接触し、荷重を加えることで、フェイスカバー１００のズレ落ち防止に貢献することが可能になる。また、縫い目１４２による凸部１４３が形成されない場合でも、鼻筋に直交する縫い目１４２の線が複数あることにより、この縫い目１４２の線が鼻筋に段階的に接触することですべり止め効果を発揮し、フェイスカバー１００のズレ落ち防止に貢献することが可能になる。つまり、一様な平面で構成された表面と鼻筋とが接触するよりも、縫い目１４２によって形成された凸部１４３又は縫い目１４２そのものが含まれた表面と鼻筋とか接触する方が摩擦抵抗が大きくなる。例えば、後述するように冷却部材１０が格納されたフェイスカバー１００は、ユーザが装着した際に、ズレ落ち易くなる可能性があるが、形状保持部材１４１の縫い目による鼻筋との摩擦抵抗の増加によって、すべり難く、ズレ難くなっている。
【００５２】
ユーザがフェイスカバー１００を装着する際に、ユーザの鼻周辺の顔の立体構造に沿って形状保持部材１４１を適合させることができるため、フェイスカバー１００とユーザとの隙間を軽減し、有害物質が侵入することを防止している。また、形状保持部材１４１がユーザの鼻周辺の顔の立体構造に適合しているため、フェイスカバー１００がズレ難くなっている。また、折り返しのカバー部１４０に形状保持部材１４１が設けられることにより、カバー部１４０を折り返した後の外側部材１１０は、形状保持部材１４１のための縫い目等がないため、見た目の洗練さを与えることができる。
【００５３】
形状保持部材１４１として、ドレス用ワイヤーテープを採用する場合、前述したように、ポリエステル及びポリウレタンで構成される素材で形成されているカバー部１４０と相性が良く、取り付け易い。また、ドレス用ワイヤーテープは、一般的に被服等に用いられるものであることから、仮に、ユーザの顔（肌）に直接接触したとしても、負担及び違和感が小さく、ユーザにとって心地よくフェイスカバー１００を装着することができる。
【００５４】
一方、形状保持部材１４１に１又は複数の金属製の針金等を採用することも可能である。この場合、フェイスカバー１００を装着した際の安定（固定）感を得ることが可能であり、安価に形状保持部材１４１を形成することができる。
【００５５】
なお、ここでは、形状保持部材１４１は、略平行に２又は３本の布製のドレス用ワイヤーテープを用いてもよいが、これに限定されるものではない。例えば、幅広の布製のドレス用ワイヤーテープを１本用いても構わないし、装着時の安定（固定）感をより強く求める場合には、４本以上の布製のドレス用ワイヤーテープを用いても構わない。
【００５６】
次に、ポケット部１５０について詳細を説明する。
【００５７】
図４は、本考案の第１実施形態に係るフェイスカバー１００におけるカバー部１４０が捲られた様子を示す図である。ポケット部１５０は、外側部材１１０と内側部材１３０との間に形成されているが、図４に示すように、カバー部１４０を捲ると上部（装着者の顔の上部方向）が開口していることが分かる。
【００５８】
換言すると、ポケット部１５０は、上部が開口しているが、カバー部１４０を外側部材１１０の上端部から内側面に折り返すことによってカバー部１４０が当該開口を覆い、ポケット部１５０は、封鎖されている状態となる。
【００５９】
図５は、本考案の第１実施形態に係るフェイスカバー１００におけるポケット部１５０内部の様子を示す図である。図５に示すように、ポケット部１５０の内部において、開口の中央部に留め部材１５１が配置されている。
【００６０】
留め部材１５１は、ポケット部１５０の内部において、当該ポケット部１５０の開口の少なくとも一部を留めることによって、ポケット部１５０の開口が大きく開いたり、後述するポケット部１５０に格納された冷却部材１０が出てきたりすることを防止する。
【００６１】
本実施形態では、図５に示す例では、留め部材１５１として面ファスナーを採用しており、ポケット部１５０における開口の中央部に面ファスナーのオス（又はメス）を配置している。また、留め部材１５１は、ポケット部１５０の内部であって、カバー部１４０の折り返し領域（外側部材１１０の上端部近傍）に対向する位置に配置されてもよい。そして、それに対応するように外側部材１１０の裏面であって、カバー部１４０の折り返し領域に面ファスナーのメス（又はオス）１１１を配置している。
【００６２】
また、留め部材１５１の一方（例えば面ファスナーのオス（又はメス））は、外側部材１１０における内側部材１３０方向の表面に設けられ、留め部材１５１の他方（面ファスナーのメス（又はオス））は、内側部材１３０における外側部材１１０方向の表面であって、留め部材の一方に対向する位置に設けられてもよい。また、留め部材１５１の一方は、折り返し時におけるカバー部１４０の内側部材１３０方向の表面に設けられ、留め部材１５１の他方は、カバー部１４０で覆われる内側部材１３０の表面であって、留め部材の一方に対向する位置に設けられてもよい。また、カバー部１４０の折り返し領域の中央部に留め部材１５１を設けることで、留め部材の質量が鼻筋に荷重することにより、フェイスカバー１００のズレ落ち防止に貢献することが可能になる。
【００６３】
このように、留め部材１５１（面ファスナー）は、ポケット部１５０の内部であって、外側部材１１０の上端部近傍に対向する位置に配置されるため、フェイスカバー１００を装着するユーザの顔（肌）に直接接触する可能性は低い。その結果、フェイスカバー１００を装着するユーザに違和感及び不快感を与えない。
【００６４】
さらに、面ファスナーは、簡易な構成で、容易にポケット部の開口を留める及び外すことができ、前述したように、ポリエステル及びポリウレタン等で構成される素材で形成されるフェイスカバー１００に取り付け易い。さらに、布製であるため金属製に比べて柔らかく、フェイスカバー１００を装着するユーザに違和感及び不快感を与えない。
【００６５】
なお、ここでは、留め部材１５１として、面ファスナーを採用したが、これに限定されるものではない。例えば、テープ、フック、ボタン及びホック等を採用することも可能であり、より簡易な構成が求められる場合等、コスト、使用形態及びユーザの嗜好に応じて適宜選択すればよい。
【００６６】
また、留め部材１５１は、ポケット部１５０における開口を、中央部で１箇所留める構成とした。これは、後述するように、ポケット部１５０の両サイド領域にそれぞれ冷却部材１０をバランス良く安定して格納し易いため、有用であるが、留める位置及び数はこれに限定されるものではない。例えば、フェイスカバー１００を装着して激しい運動をする際には、ポケット部１５０に格納された冷却部材１０を安定させるため、及び出てこないようにするため、留め部材１５１を２箇所以上又は連続的に開口領域全体に亘って配置する構成であっても構わない。また、ポケット部１５０に格納する冷却部材１０の大きさ、形状及び個数等に応じて、留め部材１５１の留める位置及び数を決定すればよい。
【００６７】
図６は、本考案の第１実施形態に係るフェイスカバー１００において、ポケット部１５０に冷却部材１０が格納されている様子を示す図である。図６に示すように、ポケット部１５０の内部の両サイド領域において、それぞれ冷却部材１０が格納されている。
【００６８】
ポケット部１５０には冷却部材１０が格納され、前述したように、留め部材１５１によって当該ポケット部１５０の開口は留められる。その上で、外側部材１１０と一体的に形成されたカバー部１４０が、当該外側部材１１０の上端部から内側面に折り返されて、ポケット部１５０の開口を覆うことによって、ポケット部１５０は封鎖される状態となる。その結果、冷却部材１０の保冷効果が維持される。
【００６９】
このように、ポケット部１５０の内部の両サイド領域において、それぞれ冷却部材１０が格納されているため、フェイスカバー１００を装着しているユーザは、両頬に冷却部材１０から冷感を得ることができる。
【００７０】
また、ポケット部１５０は、前述したように、ポリエステル及びポリウレタンを含む素材で構成されている。ポケット部１５０に格納された冷却部材１０が融けて濡れる場合があったとしても、ポケット部１５０は、吸水性及び速乾性に優れているため、フェイスカバー１００を装着しているユーザに不快感を与えない。
【００７１】
さらに、冷却部材１０は、ポケット部１５０に格納され、交換可能な構成となっていることから、冷却部材１０から冷感を得られなくなった場合又は冷却部材１０の性能が低下してきた場合には、新たな冷却部材１０に交換すればよい。例えば、冷却部材１０に凍らせた保冷剤を用いた場合には、当該保冷剤が融けてユーザにとって冷感が得られ難くなれば、新たな保冷剤に交換すればよいし、保冷剤は凍らせて再利用できることから、経済的及び環境的にも優れている。
【００７２】
以上のように、本考案の第１実施形態に係るフェイスカバー１００によれば、ポケット部１５０に冷却部材１０を備えることが可能であって、カバー部１４０によってポケット部１５０を覆うため、ユーザは、任意の使用態様においても、十分な冷却効果が得られ、安定的に使用することができる。
【００７３】
なお、本実施形態では、カバー部１４０は、外側部材１１０の上端部から内側面に折り返されて、ポケット部１５０の開口を覆う構成であったが、これに限定されるものではない。例えば、カバー部１４０は、内側部材１３０の上端部から外側面に折り返されて、ポケット部１５０の開口を覆う構成にしても構わない。この場合、カバー部１４０は、内側部材１３０と一体的に形成され、形状保持部材１４１は、内側部材１３０の上端部近傍領域に長手方向に沿って配置されることになる。ユーザにとっては当該フェイスカバー１００を装着する側が簡素化されるため、フェイスカバー１００を装着した際に、不快感及び違和感が少なくなる。
【００７４】
本実施形態では、フェイスカバー１００の外観は、各図面に示すように、所謂、３次元立体形状のマスクと同等又は類似した形状としたが、これに限定されるものではない。例えば、顔の下半分程度を覆うような形状であれば何でも構わない。
【００７５】
本実施形態では、ポケット部１５０の開口を留めるために留め部材１５１を備えたが、当該留め部材１５１を、例えば、両サイド領域にそれぞれ冷却部材１０を安定して配置するための仕切り機能を兼ねる構成としても構わない。
【００７６】
また、留め部材１５１とは別に仕切り部材を設ける構成であっても構わない。例えば、ポケット部１５０に２つの冷却部材１０を格納した場合、それぞれ両サイド領域（両頬に相当する領域）により安定して配置するために、ポケット部１５０の内部を２つに分割するような仕切り部材を備える。さらに、複数の仕切り部材を設けて、小さな（細い）複数の冷却部材１０を格納するようにしても構わない。
【００７７】
また、例えば、外側部材１１０にロゴ又はキャラクターのデザインを付しても構わない。近年では、ウイルス、花粉及び埃等からの防御対策としてだけでなく、感染症予防対策として、多くの人々がフェイスカバー及びマスクの装着を強いられている実態がある。このような状況下、企業のロゴ又は地域キャラクター（例えば、ゆるキャラ等）を付して、同一のフェイスカバー及びマスクを従業員、職員及び市民等が装着すれば、共通の目的を持った仲間としての一体感が芽生え、また、宣伝効果も期待できる。
【００７８】
さらに、外側部材１１０の外側表面の少なくとも一部に、個々の顔がプリントされても構わない。上記のように、多くの人々がフェイスカバー及びマスクを装着していると、個人を判別し難い状況となるため、フェイスカバー及びマスクで隠れている顔の下半分程度又は顔全体について、実際の個々の顔をプリントする。また、ＩＣカード及びＩＣタグ等と組み合わせる等して、顔認証システムに対応させても構わない。
【００７９】
また、例えば、感染症等が流行している場合、ユーザは外出する際には、フェイスカバー１００を装着する場合が多くなり、又は強制的に装着しなければならない状況にもなり得る。フェイスカバー１００にＩＣタグ、ＲＦＩＤタグ等を埋め込んでおいて、ＧＰＳ（Global Positioning System）機能を用いて、当該フェイスカバー１００の位置情報を取得し、当該フェイスカバー１００の位置を把握できるようにしてもよい。この機能を利用すれば、例えばユーザの行動履歴を確認することができる。仮に、後日、感染源が分かれば、当該ユーザ自身が当該感染源の発生場所に滞在していたか、又は通過したか等について分析することができる。
【００８０】
＜第２実施形態＞
次に、本考案の第２実施形態では、第１実施形態で説明したフェイスカバー１００に加えて、フィルターを取り替え可能とする他のポケット部２１０を備えたフェイスカバー２００について説明する。本実施形態では、本考案の第１実施形態に追加される点を中心に説明する。
【００８１】
なお、図７〜図９において、図１〜図６に示した本考案の第１実施形態に係るフェイスカバー１００と同一の構成については、同一の参照符号を付すことによって、詳細な説明は省略する。本実施形態では、主に、本考案の第１実施形態と異なる構成について説明する。
【００８２】
図７は、本考案の第２実施形態に係るフェイスカバー２００を内側面側から見た斜視図であり、図８は、本考案の第２実施形態に係るフェイスカバー２００において、他のポケット部２１０にフィルター２０が格納されている様子を示す図である。図７及び図８に示すように、フェイスカバー２００は、ポケット部１５０よりも内側面側に他のポケット部２１０を備えており、当該他のポケット部２１０には、フィルター２０が格納されている。
【００８３】
ポケット部１５０に冷却部材１０を格納し、当該ポケット部１５０とは異なる他のポケット部２１０を設けることによって、冷却部材１０とは異なるものを他のポケット部２１０に格納することができる。
【００８４】
一般的に、フィルター２０は、ウイルス、花粉及び埃等の有害物質の侵入を防ぐ機能を発揮するが、フェイスカバー２００を使用し続けると、当該フィルター２０には、当該有害物質が付着するため、フィルター２０の性能が低下する可能性がある。
【００８５】
したがって、他のポケット部２１０を備えることによって、性能が低下したと思われるフィルター２０を新たなフィルター２０に交換し、フィルター２０の本来の機能を発揮できるようにしている。
【００８６】
また、他のポケット部２１０は、前述した外側部材１１０、内側部材１３０、カバー部１４０及びポケット部１５０と同様に、ポリエステル及びポリウレタンを含む素材で構成されてもよい。したがって、冷却部材１０及びフィルター２０を取り出した状態のフェイスカバー２００は、洗濯して繰り返し使用することができ、さらに、他のポケット部２１０に新たなフィルター２０を格納すれば、衛生面において新品同様の安全性が確保できる。
【００８７】
さらに、フィルター２０には、例えば、Ｎ９５フィルター（米国労働安全衛生研究所のＮ９５規格の基準をクリアする性能を有するもの）を用いても構わない。Ｎ９５フィルターは、洗濯しても性能の劣化が小さいため、例えば、１週間程度等、繰り返し使用することができ、衛生面を確保しつつ、さらに経済的及び環境的に優れている。
【００８８】
また、冷却部材１０を格納するポケット部１５０とフィルター２０を格納する他のポケット部２１０とを分けていることにより、冷却部材１０及びフィルター２０を取り替えるタイミングについて、それぞれ独立して判断することができる。
【００８９】
さらに、他のポケット部２１０は、ユーザの汗及び冷却部材１０によって濡れる場合があったとしても、前述したように、ポリエステル及びポリウレタンを含む素材で構成されており、吸水性及び速乾性に優れている。このため、他のポケット部２１０に格納されているフィルター２０が濡れて、性能を劣化させる可能性を軽減することができる。
【００９０】
次に、フェイスカバー２００における冷却部材１０とフィルター２０との格納位置について詳しく説明する。
【００９１】
図９は、本考案の第２実施形態に係るフェイスカバー２００において、冷却部材１０とフィルター２０とが格納されている位置関係を示す図である。図９に示すように、冷却部材１０は、ポケット部１５０の中心から左右それぞれのサイド領域に格納されており、フィルター２０は、他のポケット部２１０の中央領域を少なくとも含む位置に格納されている。
【００９２】
換言すると、フェイスカバー２００を装着するユーザにとって、左右両頬に対応する位置には、それぞれ冷却部材１０が配置され、鼻及び口に対応する位置には、フィルター２０が配置されていることになる。冷却部材１０それぞれは、鼻及び口に対応する位置には配置されておらず、フェイスカバー２００を装着するユーザにとって、呼吸を妨げないように配置されている。
【００９３】
したがって、ユーザがフェイスカバー２００を装着する際に、ユーザの鼻及び口に対向する位置にフィルター２０が配置されるものの、冷却部材１０によって塞がれることがなく、ユーザにとっては呼吸がし易く、かつ冷却部材１０から冷感を得ることができる。
【００９４】
以上のように、本考案の第２実施形態に係るフェイスカバー２００によれば、第１実施形態に係るフェイスカバー１００が奏する効果に加えて、フィルター２０を交換可能な他のポケット部２１０を備えているため、衛生面において新品同様の安全性が確保できるとともに、経済的及び環境的にも優れている。
【００９５】
以上説明した実施形態は、本考案の理解を容易にするためのものであり、本考案を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００９６】
１０…冷却部材、２０…フィルター、１００，２００…フェイスカバー、１１０…外側部材、１１１…外側部材１１０の裏面、１２０…支持紐体、１３０…内側部材、１４０…カバー部、１４１…形状保持部材、１４２…縫い目、１４３…凸部、１５０…ポケット部、１５１…留め部材、２１０…他のポケット部
【図１】
0003227734.tif 000003
【図２】
0003227734.tif 000004
【図３】
0003227734.tif 000005
【図４】
0003227734.tif 000006
【図５】
0003227734.tif 000007
【図６】
0003227734.tif 000008
【図７】
0003227734.tif 000009
【図８】
0003227734.tif 000010
【図９】
0003227734.tif 000011